(57)【要約】  本発明は糞尿乾燥式トイレに関し、内部に一個以上の便器１１が設置される上部本体１０と；上部本体１０の下部に設置されて内部に糞尿が貯蔵される下部本体２０と；上部本体１０の側面に沿って垂直に設置されて下端が下部本体２０と連通するように設置される排気管３０；からなり、下部本体２０には内側底に設置されて空気流入口２１Ａと空気排出口２１Ｂが形成された温風配管２１と；空気流入口２１Ａ側に設置されて温風配管２１の内部に温風を供給する送風ファン２２と；空気流入口２１Ａと送風ファン２２の間に設置される電気ヒーター２３および；下部本体２０の上面に設置されて下部本体２０の内部に日光を透過させる採光部材２４；が具備されることを特徴とし、このような構成によって、本発明は糞尿に含まれた水分が早く乾燥しながらトイレ内部の悪臭も共に排出されることによって使用上の便宜が図られる。
2020505978.tif 000002
【特許請求の範囲】
【請求項１】
糞尿乾燥式トイレにおいて、
内部に一つ以上の便器（１１）が設置される上部本体１０；
前記上部本体（１０）の下部に設置されて内部に糞尿が貯蔵される下部本体（２０）；
前記上部本体（１０）の側面に沿って垂直に設置されて下端が前記下部本体（２０）と連通するように設置される排気管（３０）；を含み、
前記下部本体（２０）は、
内側底に設置されて空気流入口（２１Ａ）と空気排出口（２１Ｂ）が形成された温風配管（２１）；
前記空気流入口（２１Ａ）側に設置されて前記温風配管（２１）の内部に温風を供給する送風ファン（２２）；
前記空気流入口（２１Ａ）と送風ファン（２２）の間に設置される電気ヒーター（２３）；
前記下部本体（２０）の上面に設置され、前記下部本体（２０）の内部に日光を透過させる採光部材（２４）；を具備することを特徴とする、糞尿乾燥式トイレ。
【請求項２】
前記温風配管（２１）は前記下部本体（２０）の底周りに沿って設置された後、前記空気排出口（２１Ｂ）が前記排気管（３０）の内側に位置するように、前記排気管（３０）の内側に一定の長さだけ挿入される、請求項１に記載の糞尿乾燥式トイレ。
【請求項３】
前記便器（１１）の下部には前記下部本体（２０）に挿入される垂直な連通管（１２）が設置され、
前記連通管（１２）には放射状に複数個の孔（１２Ａ）が形成され、
前記連通管（１２）は上部から下部に直径が次第に大きくなるように形成される、請求項１または請求項２に記載の糞尿乾燥式トイレ。
【請求項４】
前記複数個の孔（１２Ａ）はそれぞれ前記連通管（１２）の内側から外側に下向き傾斜するように貫通形成される、請求項３に記載の糞尿乾燥式トイレ。
【請求項５】
前記下部本体（２０）の内部底には前記連通管（１２）の設置位置に合わせて円錐状の分散部材（２５）が設置され、
前記連通管（１２）の下端と分散部材（２５）の上端は所定距離だけ離隔する、請求項３に記載の糞尿乾燥式トイレ。
【発明の詳細な説明】
【技術分野】
【０００１】
本発明は野外に設置される糞尿乾燥式トイレに関する。
【背景技術】
【０００２】
簡易トイレや移動式トイレのように野外に設置されるトイレ（以下、「トイレ」と通称する。）には、一般的に便器の下部に糞尿を貯蔵する空間が設けられており、この空間に含まれた糞尿は糞尿回収車両などを利用して周期的に回収することによって清掃をすることになる。それに伴い、これらのトイレには一般的に相当期間の間糞尿が貯蔵されたまま維持され、これによって多くの悪臭が発生し、このため、多くの人々が野外トイレを利用することを忌み嫌う。
【０００３】
トイレ内部の糞尿を乾燥させることになると悪臭の持続的な発生を防止することができ、また、このように糞尿を乾燥させることになると糞尿の貯蔵容量を増やすことができるため、最近では糞尿乾燥式（消滅式）トイレの開発が活発に行われており、これに対する一つの例として韓国登録実用新案公報第０４１１０６１号に開示された「糞尿処理装置」が挙げられる。
【０００４】
前記特許文献に開示された糞尿処理装置は、図１に図示された通り、少なくとも一つの便器が収容されるハウジング１００、便器から排出された大便および小便の糞尿を収容して処理するための糞尿タンク１１０、糞尿タンク１１０の内部を上下の第１および第２処理室に区画するように、糞尿タンクの底に対して傾斜するように設置され、多数の貫通孔を有する第１傾斜板１２０、糞尿を分解するための微生物が含まれ、第１処理室内に投入されて大便と混ざる吸湿性媒質、糞尿タンクの底に配置された発熱手段、糞尿タンク１１０の内部を換気させるために糞尿タンク１１０の内部と連通するように設置された吸出器１３０で構成されたものである。
【０００５】
しかし、前記のような構造の糞尿処理装置では、第１傾斜板１２０に形成された多数の貫通孔に糞尿が流入したまま乾燥して固着するため貫通孔が容易に詰まり、これによって発熱手段から生成した熱気が貫通孔を通じて糞尿に効果的に伝達されることが難しく、また、このように貫通孔が詰まることになると、これを清掃するために多量の水を使うため清掃過程で多量の汚水が生成し、さらに発熱手段によって生成した熱気が貫通孔を通じて上昇しながら糞尿の悪臭もハウジング１００の内部に流入してしまうため非常な不快を感じることになる。
【０００６】
したがって、糞尿を適切に処理しながらもさらに早く乾燥させることができ、また、悪臭の発生を最小化できる糞尿乾燥式トイレの開発が要求される。
【発明の概要】
【発明が解決しようとする課題】
【０００７】
したがって、本発明は前記のような従来の糞尿乾燥式（消滅式）トイレが有する問題点を解決するために案出されたものであって、糞尿を適切に処理しながらもさらに早く乾燥させることができ、また、悪臭の発生を効果的に防止できる糞尿乾燥式トイレを提供するところにその目的がある。
【課題を解決するための手段】
【０００８】
前記のような本発明の目的は、トイレを、内部に一個以上の便器が設置される上部本体と；上部本体の下部に設置されて内部に糞尿が貯蔵される下部本体と；上部本体の側面に沿って垂直に設置されて下端が下部本体と連通するように設置される排気管；からなり、下部本体には内側底に設置されて空気流入口と空気排出口が形成された温風配管と；空気流入口側に設置されて温風配管の内部に温風を供給する送風ファンと；空気流入口と送風ファンの間に設置される電気ヒーターおよび；下部本体の上面に設置されて下部本体の内部に日光を透過させる採光部材；で構成することによって達成される。
【０００９】
そして、本発明は温風配管が下部本体の底周りに沿って設置された後、排気管の内側に一定の長さだけ挿入されることによって空気排出口が排気管の内側に位置することを特徴とする。
【００１０】
また、本発明は便器の下部に下部本体に挿入される垂直な連通管が設置され、連通管には放射状に複数個の孔が形成され、連通管は上部から下部に直径が次第に大きくなるラッパ状に形成されることをさらに他の特徴とする。
【００１１】
さらに本発明は、複数個の孔がそれぞれ連通管の内側から外側に下向き傾斜するように貫通形成されることをさらに他の特徴とする。
【００１２】
これに加え、本発明は下部本体の内部底に、連通管の設置位置に合わせて円錐状の分散部材が設置され、連通管の下端と分散部材の上端部分の間には一定間隔の隙間が形成されるように設置されることをさらに他の特徴とする。
【発明の効果】
【００１３】
本発明の下部本体に貯蔵される糞尿に含まれた水分を、温風を利用して速やかに乾燥させ、この温風によって下部本体の内部に形成される上昇気流の助けで、上下部本体の内部の悪臭も共に排出されることによって使用上の便宜が図られる。
【００１４】
そして、本発明は排気管を通じて排出される空気の気流によって、上部本体の内部空気が下部本体側に流入して排気管を通じて外部に排出されることによって、下部本体内部の悪臭が上部本体側にさらに容易に流入せず、また、連通管が上部から下部にその直径が次第に大きくなるラッパ状に形成されることによって、糞尿が連通管に沿って下部本体に落下する時に連通管の内側面に当たらなくなるため、連通管が長い間清潔に維持される。
【００１５】
また、本発明は分散部材が備えられて連通管の下端と分散部材の上端部分の間に一定間隔の隙間が形成されるように設置されることによって、下部本体の内部に落下する水と糞尿が分散部材の傾斜面に沿って周辺に広く分散しながら糞尿が均一に積もるようになる。
【図面の簡単な説明】
【００１６】
【図１】図１は、従来の糞尿処理装置が備えられたトイレの例を示した構成図である。
【図２】図２は、本発明に係る糞尿乾燥式トイレの例を示した断面図である。
【図３】図３は、本発明に係る連通管の例を示した断面図である。
【図４】図４は、本発明に係る下部本体の例を示した斜視図である。
【図５】図５は、本発明に係る排気管の例を示した斜視図である。
【図６】図６は、本発明に係る糞尿乾燥式トイレの使用例を示した使用状態図である。
【発明を実施するための形態】
【００１７】
以下、好ましい実施例を図示した添付図面を参照して本発明の構成と作用をさらに詳細に説明する。
【００１８】
本発明は、糞尿を適切に処理しながらもさらに早く乾燥させることができ、また、悪臭の発生を効果的に防止できる糞尿乾燥式トイレを提供しようとするものであって、このために本発明の糞尿乾燥式トイレは、図２および図３に図示された通り、上部本体１０、下部本体２０および排気管３０を含む。
【００１９】
上部本体１０は函体状のハウジングであって、図２に図示された通り、その一側には出入口（図面番号なし）が設置され、その内部底には後述する下部本体２０側に糞尿が排出され得るように便器１１が設置される。
【００２０】
この時、上部本体１０は糞尿乾燥式トイレの大きさに応じて、２人または３人が同時に使用できるように内部空間が区画され、区画されたそれぞれの空間に便器１１を設置するか、または１人用の大きさで製作された上部本体１０を必要に応じて複数個連結して設置する。
【００２１】
そして、便器１１の下部には、下部本体２０の内部空気が上部本体１０側に容易に流入しないように、空気の流入を遮断する連通管１２が垂直に設置されるが、この時、連通管１２は図３に図示された通り、上部から下部に直径が次第に大きくなるラッパ状に形成され、また、連通管１２の外周面には円周方向に沿って放射状に複数個の孔１２Ａが貫通形成される。
【００２２】
前記のように、連通管１２がラッパ状を有することになると、糞尿が便器１１を通じて下部本体２０の内部に落ちる間、連通管１２の内側面に容易に当たらないため、連通管１２が糞尿によって容易に汚染されずに清潔に維持される。
【００２３】
そして、連通管１２に形成された複数個の孔１２Ａは図３に図示された通り、連通管１２の内側から外側に下向き傾斜するように貫通形成され、このような複数個の孔１２Ａを通じて上部本体１０の内部空気が連通管１２を通じて下部本体２０の内部に流入した後、排気管３０の内部から上側に向かって吐出される加熱した空気によって生成する下部本体２０の内部気流によって、自然に排気管３０の内部に流入して外部に排出されるようになる。
【００２４】
上部本体１０の底面には内部に糞尿が貯蔵される下部本体２０が設置され、このような下部本体２０により、上部本体１０に設置された便器１１を通じて下部本体２０に流入する糞尿が、一定期間の間貯蔵されてから周期的に糞尿処理車両によって回収されて浄化処理されるかまたは堆肥などとして利用される。
【００２５】
前記のような下部本体２０の内部には図４に図示された通り、糞尿が貯蔵され得るように適正な収容空間が形成され、この収容空間の底には空気流入口２１Ａと空気排出口２１Ｂがそれぞれ形成された温風配管２１が設置され、下部本体２０の外部の一側には温風配管２１の空気流入口２１Ａ側に設置されて温風配管２１の内部に温風を供給する送風ファン２２が設置され、空気流入口２１Ａと送風ファン２２の間には空気を加熱する電気ヒーター２３が設置される。
【００２６】
また、温風配管２１は収容空間の内部底に、周りに沿って設置され、その一端は下部本体２０の外側に突出して空気流入口２１Ａが送風ファン２２と電気ヒーター２３側に向かうように設置され、他端は垂直に設置されて後述する排気管３０の下部の内側に一定の長さだけ挿入されて設置されることによって、空気排出口２１Ｂが排気管３０の内側に位置するようになる。
【００２７】
そして、下部本体２０は上部本体１０よりも後方側（出入口の反対側）にその長さがより長く形成され、一側には内部に日光が透過して導入され得るように透明材質の強化プラスチックや強化ガラス材質の採光部材２４が設置されるが、このような採光部材２４はドアのような開放可能な構造で設置されることによって、ユーザーが下部本体２０の内側に積もった糞尿を回収しようとする時、この採光部材２４を開放して糞尿を回収できるように構成され、これによって採光窓と糞尿回収口などを別途に設けなくても、開放できる一つの採光部材２４を設置することによって、日光の透過効果と糞尿回収のための機能を同時に達成することができる。
【００２８】
また、下部本体２０の内部底には、便器１１の下部に設置された連通管１２の位置に合わせて円錐状の分散部材２５が設置されるが、この時、連通管１２の下端と分散部材２５の上端は所定距離だけ離隔するように形成され、このような分散部材２５により、連通管１２に沿って下部本体２０の内部に落下する水と糞尿が分散部材２５の傾斜面に沿って周辺に広く分散しながら糞尿がさらに均一に積もるようになる。
【００２９】
さらに、下部本体２０の一側には、ユーザーが上部本体１０の出入口を通じてトイレに出入りできるように階段２６が設置され、この階段２６の内側に送風ファン２２と電気ヒーター２３が収容され、上部本体１０または階段２６の一側には送風ファン２２と電気ヒーター２３の動作を制御するための制御器（図示せず）が設置される。
【００３０】
そして、上部本体１０の内部または上部本体１０の外側面には垂直に排気管３０が設置され、このような排気管３０により下部本体２０の内部で糞尿が乾燥する過程で発生する悪臭などが外部に容易かつ早く排出される。
【００３１】
前記のような排気管３０は図５に図示された通り、垂直の長さを有しつつ、下端は下部本体２０の内側に挿入され、上端は上部本体１０の上部に突出する垂直配管３１と、垂直配管３１の下端に設置されて上部の直径に比べて下部の直径が大きいラッパ状の拡張配管３２と、垂直配管３１の上端に設置されて外の風によって回転することによって、垂直配管３１と拡張配管３２を通じて下部本体２０の内部空気を外部に排出する排気板３３を含む。
【００３２】
前記のような構造の排気管３０は、下部本体２０の内部空気が拡張配管３２を通じて容易に垂直配管３１に流入して外部に排出される時、温風配管２１を通じて電気ヒーター２３により加熱した空気が速やかに排出されるため、この加熱空気の迅速な流れによって下部本体２０の内部空気も外部に速やかに排出され、その結果、下部本体２０の内部空気は拡張配管３２と垂直配管３１を通じて流れる空気の流れが早く維持されるため、下部本体２０の内部空気が上部本体１０側に容易に逆流できなくなる。
【００３３】
以上のような構造からなる本発明の糞尿乾燥式トイレを使う時には、図６に図示された通り、ユーザーが制御器を制御するかまたはタイマーによって送風ファン２２と電気ヒーター２３が一定の周期で動作するように設定され、これによって送風ファン２２と電気ヒーター２３が一定の周期でオンオフ動作し、電気ヒーター２３により加熱した空気は送風ファン２２により温風配管２１に送られて温風配管２１を全体的に加熱するようになる。
【００３４】
そして、前記のように、温風配管２１が加熱されると共に採光部材２４を通じて下部本体２０の内部に日光が透過することによって下部本体２０の内部温度が全体的に速く上昇し、これによって下部本体２０の内部に積もった糞尿が速やかに乾燥するようになる。
【００３５】
また、温風配管２１の内部に流入した加熱した空気は、空気排出口２１Ｂを通じて排気管３０の内部から排気管３０の上側へ向かって迅速に排出され、これによって、糞尿が乾燥するか微生物が繁殖して糞尿が分解される過程で発生する悪臭が含まれた下部本体２０の内部空気も排気管３０の拡張配管３２を通じて垂直配管３１側に速やかに流入しながら下部本体２０の内部空気が外部に排出される。
【００３６】
したがって、下部本体２０の内部空気は、温風配管２１を通じて加熱した空気が排出される時には常に排気管３０側にのみ空気が流れながら外部に排出されるようになる。
【００３７】
また、移動式トイレの場合、一般的に泡洗浄式構造の便器１１が設置されるが、このような構造の便器１１は、下部本体２０の内部空気が便器１１を通じて上部本体１０側に流れながら悪臭が共に流入するが、本発明では便器１１の下部側に、連通管１２が下部本体２０の底から一定の間隔離隔するように垂直設置され、この連通管１２の外側面に複数個の孔１２Ａが形成されて、排気管３０を通じて下部本体２０の内部空気が外部に排出される時に、下部本体２０の内部に形成される気流によって上部本体１０の内部空気が便器１１を通じて連通管１２に沿って下部本体２０の内部に流入し、その結果、空気が上部本体１０→下部本体２０→排気管３０の方向にのみ流れるため、ユーザーがトイレを利用する間下部本体２０の内部空気が上部本体１０側に逆流せず、悪臭によるユーザーの不便さが大きく減少する。
【００３８】
以上で説明した通り、本発明は下部本体に貯蔵される糞尿に含まれた水分を、温風を利用して速やかに乾燥させ、この温風によって下部本体の内部に形成される気流の助けで、上下部本体の内部の悪臭も共に排出されることによって使用の便宜がより一層図られる。
【符号の説明】
【００３９】
１０：上部本体
１１：便器
１２：連通管
１２Ａ：孔
２０：下部本体
２１：温風配管
２１Ａ：空気流入口
２１Ｂ：空気排出口
２２：送風ファン
２３：電気ヒーター
２４：採光部材
２５：分散部材
２６：階段
３０：排気管
３１：垂直配管
３２：拡張配管
３３：排気ファン
【先行技術文献】
【特許文献】
【００４０】
【特許文献１】韓国登録実用新案第０４１１０６１号公報
【図１】
2020505978.tif 000003
【図２】
2020505978.tif 000004
【図３】
2020505978.tif 000005
【図４】
2020505978.tif 000006
【図５】
2020505978.tif 000007
【図６】
2020505978.tif 000008
【国際調査報告】
2020505978.tif 000009
2020505978.tif 000010
2020505978.tif 000011
2020505978.tif 000012